(57)【要約】【課題】腕装置型電子機器としてのダイバーズ用情報処理装置において、記憶装置内に格納されたデータを破壊することなく電池を交換することが可能な電池交換方法及び簡単に電池交換をすることが可能な腕装置型電子機器としてのダイバーズ用情報処理装置を提供する。【解決手段】腕装置型電子機器としてのダイバーズ用情報処理装置１００は、電池１を収納可能な電池収納部４０と、前記腕装置型電子機器としてのダイバーズ用情報処理装置１００のリセットをするリセット機構としてのリセット端子５０とを備え、前記電池収納部４０が、前記リセット機構としてのリセット端子５０を含んでいる。【選択図】図１
2008097946.tif 000002
【特許請求の範囲】
【請求項１】
腕装置型電子機器において、
電池を収納可能な電池収納部と、
前記腕装置型電子機器を制御する制御回路をリセットするリセット機構とを備え、
前記電池収納部が、前記リセット機構を含んでいることを特徴とする腕装置型電子機器。
【請求項２】
請求項１に記載の腕装置型電子機器において、
前記電池収納部が、第１の爪部と、
前記第１の爪部と係合する第２の爪部と、
を備えていることを特徴とする腕装置型電子機器。
【請求項３】
請求項１に記載の腕装置型電子機器において、
前記電池収納部と、前記リセット機構とが、分割していることを特徴とする腕装置型電子機器。
【請求項４】
請求項１または請求項３に記載の腕装置型電子機器において、
前記リセット機構が、スライド式スイッチまたはプッシュ式スイッチのいずれかであることを特徴とする腕装置型電子機器。
【請求項５】
電池収納部を有する腕装置型電子機器の電池を交換する電池交換方法であって、
前記電池収納部に前記電池を収納する工程と、
前記電池収納部に備えた第１位置に前記電池を配置して、電池の一方の電位側は前記腕装置型電子機器を制御する制御回路と未接続状態のままで、前記制御回路のＲＥＳＥＴ端子と前記電池の他方の電位側を接続して、前記制御回路をリセットするリセット工程と、
前記第１位置とは配置位置の異なる第２位置に前記電池を配置して、前記ＲＥＳＥＴ端子と前記他方の電位側を未接続にして、前記一方の電位側および前記他方の電位側が前記制御回路と接続されて、前記リセット状態を解除するリセット解除工程と、
を備えていることを特徴とする腕装置型電子機器の電池交換方法。
【請求項６】
電池収納部を有する腕装置型電子機器の電池を交換する電池交換方法であって、
前記電池収納部に前記電池を収納する工程と、
前記腕装置型電子機器の制御回路をリセットするリセット工程と、
前記リセット状態を解除するリセット解除工程と、
リセット解除後、前記制御回路によって前記腕装置型電子機器内部の記憶装置が制御される工程と、
を備えていることを特徴とする腕装置型電子機器の電池交換方法。
【請求項７】
請求項６に記載の腕装置型電子機器の電池交換方法において、
前記リセット工程では、
スライド式スイッチまたはプッシュ式スイッチをスライドさせてリセットをすることを特徴とする腕装置型電子機器の電池交換方法。
【請求項８】
請求項６に記載の腕装置型電子機器の電池交換方法において、
前記リセット解除工程では、
スライド式スイッチまたはプッシュ式スイッチをスライドさせてリセットを解除することを特徴とする腕装置型電子機器の電池交換方法。
【発明の詳細な説明】
【技術分野】
【０００１】
本発明は、電子機器などに内蔵される電池の電池交換方法、腕装置型電子機器に関する。
【背景技術】
【０００２】
腕装置型電子機器などの電子機器は電池にて駆動するものが多く存在しており、電池が寿命になったら、それを交換することが必要になる。電池を交換する時に電子機器に搭載された記憶装置のデータ破壊が生じることがあり、記憶装置のデータを守るためには、該当する電子機器のリセットをしてから電池交換を行い、データ破壊を未然に防ぐ必要があった。
【０００３】
例えば特許文献１に開示されているように、ＣＰＵ制御回路を利用して電子機器のリセットをするリセット方法が提案されていた。
【０００４】
【特許文献１】特開２００５−５７３４６号公報
【発明の開示】
【発明が解決しようとする課題】
【０００５】
ところが、特許文献１の方法では、腕装置型電子機器の場合、内蔵されている電池を交換しようとすると、電池を入れてからリセットするまでの間に誤動作をする可能性があった。そして、ダイバーズ用情報処理装置が誤動作をすると、搭載されている記憶装置（例えばフラッシュＲＯＭなど）内に格納されたデータが破壊されてしまうことがあった。格納されたデータが破壊されてしまうと、腕装置型電子機器が正常に動作しなくなるおそれがあった。
【０００６】
本発明の目的は、腕装置型電子機器としてのダイバーズ用情報処理装置において、記憶装置内に格納されたデータを破壊することなく電池を交換することが可能な電池交換方法及び電池交換を容易にすることが可能な腕装置型電子機器としてのダイバーズ用情報処理装置を提供することである。
【課題を解決するための手段】
【０００７】
本発明の腕装置型電子機器は、電池を収納可能な電池収納部と、前記腕装置型電子機器を制御する制御回路をリセットするリセット機構とを備え、前記電池収納部が、前記リセット機構を含んでいることを特徴とする。
【０００８】
この発明によれば、電池収納部が、リセット機能を備えているから、腕装置型電子機器に内蔵されている記憶装置などに格納されたデータを破壊することなく電池交換をすることが可能な腕装置型電子機器を提供できる。しかも、電池収納部が、リセット機構を含む一体構造になっているから、電池交換を容易に行うことができる。
【０００９】
本発明の腕装置型電子機器は、前記電池収納部が、第１の爪部と、前記第１の爪部と係合する第２の爪部とを、備えていることが望ましい。
【００１０】
この発明によれば、電池収納部が、第１の爪部と、この第１の爪部と係合する第２の爪部とを、備えているから、より確実にロックをすることができるので、より確実にリセットすることや、リセットを解除することが可能な腕装置型電子機器を提供できる。
【００１１】
本発明の腕装置型電子機器は、前記電池収納部と、前記リセット機構とが、分割していることが望ましい。
【００１２】
この発明によれば、腕装置型電子機器が、電池収納部と、リセット機構とに、分割している構成になっているから、リセット機構の構造を簡略化することができるので、メンテナンスを容易にすることが可能な腕装置型電子機器を提供できる。
【００１３】
本発明の腕装置型電子機器は、前記リセット機構が、スライド式スイッチまたはプッシュ式スイッチのいずれかであることが望ましい。
【００１４】
この発明によれば、リセット機構が、スライド式スイッチまたはプッシュ式スイッチのいずれかであるので、リセットをすることや、リセット解除をすることが簡単にすることが可能な腕装置型電子機器を提供できる。
【００１５】
本発明の腕装置型電子機器の電池交換方法は、電池収納部を有する腕装置型電子機器の電池を交換する電池交換方法であって、前記電池収納部に前記電池を収納する工程と、前記電池収納部に備えた第１位置に前記電池を配置して、電池の一方の電位側は前記腕装置型電子機器を制御する制御回路と未接続状態のままで、前記制御回路のＲＥＳＥＴ端子と前記電池の他方の電位側を接続して、前記制御回路をリセットするリセット工程と、前記第１位置とは配置位置の異なる第２位置に前記電池を配置して、前記ＲＥＳＥＴ端子と前記他方の電位側を未接続にして、前記一方の電位側および前記他方の電位側が前記制御回路と接続されて、前記リセット状態を解除するリセット解除工程とを、備えていることを特徴とする。
【００１６】
この発明によれば、電池の配置位置を変更することで、リセットすることや、リセットを解除することが容易にできる。そして、腕装置型電子機器に内蔵されている記憶装置などに格納されたデータを破壊することなく電池交換をすることができる。
【００１７】
本発明の腕装置型電子機器の電池交換方法は、電池収納部を有する腕装置型電子機器の電池を交換する電池交換方法であって、前記電池収納部に前記電池を収納する工程と、前記腕装置型電子機器の制御回路をリセットするリセット工程と、前記リセット状態を解除するリセット解除工程と、リセット解除後、前記制御回路によって記憶装置が制御される工程とを、備えていることを特徴とする。
【００１８】
この発明によれば、リセット工程と、リセット解除工程とがあるから、腕装置型電子機器のリセットをすることや、リセットを解除することができる。そして、腕装置型電子機器に内蔵されている記憶装置などに格納されたデータを破壊することなく電池交換をすることができる。
【００１９】
本発明の腕装置型電子機器の電池交換方法は、前記リセット工程では、スライド式スイッチまたはプッシュ式スイッチをスライドさせてリセットをすることが望ましい。
【００２０】
この発明によれば、スライド式スイッチまたはプッシュ式スイッチをスライドさせてリセットする方法なので、簡単にリセットをすることができる。
【００２１】
本発明の腕装置型電子機器の電池交換方法は、前記リセット解除工程では、スライド式スイッチまたはプッシュ式スイッチをスライドさせてリセットを解除することが望ましい。
【００２２】
この発明によれば、スライド式スイッチまたはプッシュ式スイッチをスライドさせてリセットを解除する方法なので、簡単にリセットを解除することができる。
【発明を実施するための最良の形態】
【００２３】
（第１実施形態）
以下、本発明の電池交換方法及び腕装置型電子機器について実施形態を挙げ、添付図面に沿って詳細に説明する。
【００２４】
腕装置型電子機器としてのダイバーズ用情報処理装置の構成について説明する。
【００２５】
図１は、腕装置型電子機器としてのダイバーズ用情報処理装置の構成を説明するための説明図である。
【００２６】
図１において、腕装置型電子機器としてのダイバーズ用情報処理装置１００は、各種情報を制御する制御回路であるＣＰＵ４（制御回路はＣＰＵだけでなくロジック回路でもよい）、表示を行う手段としてのＬＣＤ５と、圧力センサ６と、各種のデータを記録することが可能な記憶素子、たとえばＥＥＰＲＯＭ（Ｅｌｅｃｔｒｉｃａｌｌｙ・Ｅｒａｓａｂｌｅ・Ｐｒｏｇｒａｍｍｂｌｅ・ＲＯＭ）７と、プログラムの記録用でデータの書き込み・読み出し・消去をすることができる機能を有した記憶暫定維持素子、たとえばＦＬＡＳＨ  ＲＯＭ（Ｆｌａｓｈ  Ｒｅａｄ・Ｏｎｌｙ・Ｍｅｍｏｒｙ）８と、ＲＡＭ（Ｒａｎｄｏｍ・Ａｃｃｅｓｓ・Ｍｅｍｏｒｙ）９と、入力部１０と、入水検知部１１と、電池収納部４０と、で概略構成されている。
【００２７】
ＣＰＵ４は、ＲＥＳＥＴ端子５４と、ＶＤＤ（Ｄｏｒａｉｎ  Ｖｏｌｔａｇｅ）端子５６と、ＶＳＳ（Ｓｏｕｒｃｅ  Ｖｏｌｔａｇｅ）端子５７とを、備えている。また、ＣＰＵ４は、抵抗１４と、通信手段１６と接続されている。抵抗１４は、リセット後にＣＰＵ４のＲＥＳＥＴ端子５４の電位をＶＤＤへ確定するためのプルアップ抵抗である。通信手段１６は、外部機器（図示省略）とのデータを授受するための機能を有しており、潜水ログ・プロファイルのダウンロード用及びプログラムのアップロード用である。
【００２８】
ＬＣＤ５は、時計モードやダイブモードなどの各種情報・警告・指示などの表示をすることができる機能を有しており、ダイバーズ用情報処理装置１００を使用する使用者に、これらの情報を提供することができる。
【００２９】
圧力センサ６は、潜水中の水深・気圧などを計測することができる機能を有しており、水深の値や、そのときの気圧の値を精度良く計測することができる。
【００３０】
ＥＥＰＲＯＭ７は、潜水中における各種のデータ（潜水ログ・プロファイルなど）を記録することができる機能を有しており、ダイバーズ用情報処理装置１００を使用する使用者が潜水前にこれらデータを確認することができる。
【００３１】
ＦＬＡＳＨ  ＲＯＭ８は、プログラムの記録用であって、通信手段１６を用いて外部機器（図示省略）と通信することによって、データの書き込み・読み出し・消去をすることができる機能を有している。
【００３２】
ＲＡＭ９は、ダイビング時の減圧演算用、時刻データなどの一時記録用であって、データの読込み・書き込みをすることができる機能を有している。
【００３３】
入力部１０は、モード切替用、パラメータの選択、パラメータ設定用であって、使用者がダイビングする状態を予め設定することや、その数値の変更をすることができる機能を有している。
【００３４】
入水検知部１１は、ダイバーズ用情報処理装置１００を使用する使用者がダイビングするときに入水したことを検出することができる機能を有している入水検出スイッチである。
【００３５】
電池収納部４０は、電池端子（＋側）２と、電池端子（−側）３とを、備えており、リセット端子５０と、電池受け５１と、電池収納ボックス５２と、スライド接点５５と、で概略構成されている。そして、電池収納部４０側の電池端子（＋側）２と、ＣＰＵ４側のＶＤＤ端子５６とが、接続されている。また、電池収納部４０側の電池端子（−側）３と、ＣＰＵ４側のＶＳＳ端子５７とが、接続されている。電池収納部４０は、第１の爪部５８と、この第１の爪部５８に係合可能な第２の爪部５９とを、備えている。
【００３６】
電池収納部４０は、ダイバーズ用情報処理装置１００を駆動するために必要な電池１（１次電池または２次電池を使用）を収納できるように構成されており、電池収納部４０は、電池１をスライドできる機能を有している。
【００３７】
次に、本実施形態によるダイバーズ用情報処理装置の電池交換方法について説明する。
【００３８】
図２は、電池収納部の構成を説明するための説明図であり、図（ａ）は、電池を挿入するときの概略断面図であり、図（ｂ）は、リセット状態を示す概略断面図であり、図（ｃ）は、リセット解除状態を示す概略断面図である。図３は、電池収納部に電池を挿入して、リセットし、リセット解除するまでの手順を説明するためのフローチャートである。
【００３９】
図２及び図３を参照して、電池交換方法について説明する。ここでは、特に、電池を電池収納部に挿入して、リセットし、リセット解除をするまでの手順について説明する。
【００４０】
図３のステップＳ５１では、図２（ａ）に示すように、電池収納部４０に電池１を挿入する。電池端子（＋側）２と、ＶＤＤ端子５６とは接続されていない。リセット端子５０は、スライド接点５５を介して電池収納ボックス５２の電池端子（−側）３と導通状態にあるため、電池１の装着時のＣＰＵ４はＶＳＳ状態となっており、リセット状態にある。
【００４１】
次に図３のステップＳ５２では、図２（ｂ）に示すように、同図の右方向へ電池１をスライドさせて、位置Ｐから距離Ｌ１まで離れた第１位置Ｐ１に電池受け５１を移動させて配置する。そして、ＲＥＳＥＴ端子５４と、ＶＳＳ端子５７とを、接続状態にし、電池１の正極が電池端子（＋側）２と導通状態になる。すなわち、電池の一方の電位側は制御回路と未接続状態のままで、制御回路のＲＥＳＥＴ端子５４と電池の他方の電位側を接続して、制御回路をリセット状態としている。ここで、ダイバーズ用情報処理装置１００のシステム全体には電力が供給され動作可能な状態となるが、電池収納ボックス５２側のリセット端子５０が、電池１の負極と導通しているためＶＳＳ状態を保持している。このためＣＰＵ４は動作を開始せず、リセット状態にある。
【００４２】
次に図３のステップＳ５３では、図２（ｃ）に示すように、電池１をさらに右方向にスライドさせて、位置Ｐから距離Ｌ２まで離れた第２位置Ｐ２に電池受け５１を移動させて配置する。そして、ＲＥＳＥＴ端子５４と、ＶＳＳ端子５７とを、未接続状態にし、電池受け５１側の電池端子（−側）３とリセット端子５０とが非導通状態となる。また、電池受け５１と電池ボックス５２とは第１の爪部５８と第２の爪部５９とが係合することで、安定状態となる。第１の爪部５８と第２の爪部５９とは、共にフック構造を有している。そして、電池収納ボックス５２とリセット端子５０とが開放状態となる。電池１を装着している時のＣＰＵ４はＶＤＤ状態となり、リセット解除状態にある。すなわち、ＲＥＳＥＴ端子５４と電池の他方の電位側を未接続にして、電池の一方の電位側および他方の電位側が制御回路と接続されると、リセット解除状態になる。なお、ダイバーズ用情報処理装置１００は、そのシステム全体に電池１から電圧が供給された後にＣＰＵ４は動作を開始することができる。ＥＥＰＲＯＭ７、ＦＬＡＳＨ  ＲＯＭ８、ＲＡＭ９は、記憶装置として構成されており、制御回路ＣＰＵ４によって制御される。よって、ＣＰＵ４がリセット状態にあると、記憶装置は動作しない。
【００４３】
次に、本実施形態によるダイバーズ用情報処理装置の動作手順について説明する。
【００４４】
図４は、ダイバーズ用情報処理装置の動作手順を説明するためのフローチャートである。図５は、ダイバーズ用情報処理装置の動作手順を説明するためのフローチャートである。
【００４５】
図４及び図５を参照して、本実施形態のダイバーズ用情報処理装置の動作手順について説明する。
【００４６】
図４のステップＳ１では、ダイバーズ用情報処理装置１００（図１参照）は、リセット状態から開放され、ＣＰＵ４（図１参照）が動作を開始する。
【００４７】
次に、図４のステップＳ２では、ダイバーズ用情報処理装置１００（図１参照）に搭載されている各種ハードウェアや、メモリなどの設定の初期化処理を行う。
【００４８】
次に、図４のステップＳ３では、時計モード処理に移行し、現在時刻・曜日をＬＣＤ５（図１参照）に表示する。
【００４９】
次に、図４のステップＳ４では、操作スイッチの検知状態による時計モードの状態確認へ移行する。
【００５０】
次に、図４のステップＳ５では、ダイブセットモード処理に移行し、ダイブセットモードをＬＣＤ５（図１参照）に表示する。
【００５１】
次に、図４のステップＳ６では、操作スイッチの検知状態によるダイブセットモードの状態確認へ移行する。
【００５２】
次に、図４のステップＳ７では、プランモード処理に移行し、プランモードをＬＣＤ５（図１参照）に表示する。
【００５３】
次に、図４のステップＳ８では、操作スイッチの検知状態によるプランモードの状態確認へ移行する。
【００５４】
次に、図４のステップＳ９では、ログモード処理に移行し、ログモードをＬＣＤ５（図１参照）に表示する。
【００５５】
次に、図４のステップＳ１０では、操作スイッチの検知状態によるログモードの状態確認へ移行する。
【００５６】
次に、図４のステップＳ１１では、ＰＣモード処理に移行し、ＰＣモードをＬＣＤ５（図１参照）に表示する。
【００５７】
次に、図４のステップＳ１２では、操作スイッチの検知状態によるＰＣモードの状態確認へ移行する。
【００５８】
次に、図４のステップＳ１３では、タイムセットモード処理に移行し、タイムセットモードをＬＣＤ５（図１参照）に表示する。
【００５９】
次に、図４のステップＳ１４では、操作スイッチの検知状態によるタイムセットモードの状態確認へ移行する。なお、ステップＳ１４において、タイムセットモードの状態確認ができていなければ、ステップＳ３の時計モード処理へと戻る。
【００６０】
次に、図４のステップＳ１５では、ダイブモード処理へ移行する。ここで、前述の各モード移行はモードスイッチが押された場合に実行されるが、入水検知部１１（水検知ＳＷ）がＯＮの場合は、ステップＳ１５のダイブモード処理へ無条件に移行する。
【００６１】
図５を参照して、ステップＳ１１におけるＰＣモード処理について説明する。なお、ステップＳ１１におけるＰＣモード処理は、通信手段１６（図１参照）を介し、外部機器（図示省略）と通信を行いＥＥＰＲＯＭ７（図１参照）または、ＦＬＡＳＨ  ＲＯＭ８（図１参照）の各アドレスに対してデータの書き込み・読出し処理を行う。本コマンドを装備することでダイバーズ用情報処理装置１００（図１参照）に設定・記録されているデータを外部機器（図示省略）から読み出すことや、変更することが可能となる。そして、通信手段１６（図１参照）から受信されるデータにはコマンド、アドレス、データ等のデータ列が含まれている。
【００６２】
図５のステップＳ２０では、消去コマンド、書き込みコマンド、読出しコマンド及び終了コマンドの４つのコマンドをコマンド受信する。
【００６３】
次に、図５のステップＳ２１では、受信したコマンドに対して消去コマンドの判断処理をする。判断の結果がＹＥＳであれば、ステップＳ３０へ移行して指定アドレス１〜指定アドレス２のメモリを消去してステップＳ２０のコマンド受信処理へ移行する。ＮＯであれば、次のステップＳ２２の書き込みコマンド判断処理へ移行する。
【００６４】
次に、図５のステップＳ２２では、受信したコマンドに対して書き込みコマンドの判断処理をする。判断の結果がＹＥＳであれば、ステップＳ３１へ移行して指定アドレス１〜指定アドレス２へメモリ内容を書き込み、ステップＳ２０のコマンド受信処理へ移行する。ＮＯであれば、次のステップＳ２３の読み出しコマンド判断処理へ移行する。
【００６５】
次に、図５のステップＳ２３では、受信したコマンドに対して読み出しコマンドの判断処理をする。判断の結果がＹＥＳであれば、ステップＳ３２へ移行して指定アドレス１〜指定アドレス２へメモリ内容を読み出し、ステップＳ２０のコマンド受信処理へ移行する。ＮＯであれば、次のステップＳ２４の終了コマンド判断処理へ移行する。
【００６６】
次に、図５のステップＳ２４では、受信したコマンドに対して終了コマンドの判断処理をする。判断の結果がＮＯであれば、ステップＳ２０のコマンド受信処理へ移行する。ＹＥＳであれば、次のステップＳ２５の終了処理へ移行する。
【００６７】
次に、図５のステップＳ２５では、ステップＳ１１のＰＣモード処理の終了処理を行う。
【００６８】
最後に、図５のステップＳ２６では、終了し、メイン処理ルーティンとしてのステップＳ１２（図４参照）へ戻る。
【００６９】
以上のような第１実施形態における構造及び電池交換方法によれば、以下の効果が得られる。
（１）電池収納部４０が、リセット機能を備えているから、腕装置型電子機器としてのダイバーズ用情報処理装置１００に内蔵されている記憶装置としてのＥＥＰＲＯＭ７や、ＦＬＡＳＨ  ＲＯＭ８などに格納されたデータを破壊することなく電池１を交換することが可能な腕装置型電子機器１００を提供できる。しかも、電池収納部４０が、リセット機構としてのリセット端子５０を含む一体構造になっているから、電池１の交換を容易に行うことができる。さらに、電池１を交換するときに、機械的な操作によってリセットすることや、リセットを解除することができるので、ポカミスを抑制することが可能になる。たとえば、二股Ｖ字形状をした金属性ピンセットの一端をＲＥＳＥＴ端子５４に接続しながら、金属性ピンセット他端を電池端子（＋側）２に導通させてリセット操作を行うと、ＲＥＳＥＴ端子５４が小さくなるほど手先が震えて導通性が確保しがたいという不具合があったが、このような不具合を解消できるようになる。
（２）電池収納部４０が、第１の爪部５８と、この第１の爪部５８と係合する第２の爪部５９とを、備えているから、より確実にロックをすることができる。
（第２実施形態）
【００７０】
次に、本発明の第２実施形態について説明する。第２実施形態は、前述の第１実施形態における電池収納部の構成が異なる。具体的には、電池収納部と、リセット機構とに分割されており、これらの構造が異なる。なお、前述の第１実施形態と同じ部品、または同様の機能を有する部品については、説明を省略する。また、本実施形態によるダイバーズ用情報処理装置の動作手順については、図４及び図５に記載のフローチャートと同じであるので説明を省略する。
【００７１】
図６は、本実施形態における腕装置型電子機器としてのダイバーズ用情報処理装置の構成を説明するための説明図である。図７は、電池収納部に電池を挿入して、リセットし、リセット解除するまでの手順を説明するためのフローチャートである。
【００７２】
図６において、腕装置型電子機器としてのダイバーズ用情報処理装置１０１は、各種情報を制御するＣＰＵ４、表示を行う手段としてのＬＣＤ５と、圧力センサ６と、ＥＥＰＲＯＭ７と、ＦＬＡＳＨ  ＲＯＭ８と、ＲＡＭ９と、入力部１０と、入水検知部１１と、電池収納部４１と、リセット機構としてのスライド式スイッチ２０とで概略構成されている。
【００７３】
電池収納部４１は、電池端子（＋側）２と、電池端子（−側）３とを、備えており、ダイバーズ用情報処理装置１０１を駆動するために必要な電池１が電池収納部４１に収納できるように構成されている。
【００７４】
スライド式スイッチ２０は、機械式の接点による構造を採用している。ここで、スライド式スイッチ２０において、スライド式とは、同図に示すように、上下に移動させることができる。このことによって、リセット状態を保持することや、リセット解除状態を設定することができる。
【００７５】
次に、図７を参照して、電池の交換方法について説明する。
【００７６】
図７のステップＳ６１では、リセット機構としてのスライド式スイッチ２０を矢印方向（この場合、下方向）にスライドさせて、ＲＥＳＥＴ端子５４と、ＶＳＳ端子５７とを、接続状態にする。そして、ダイバーズ用情報処理装置１０１のシステムを予めリセット状態にする。
【００７７】
図７のステップＳ６２では、電池１を交換する。電池収納部４１の中にある使用済みの電池１を取り出し、電池収納部４１に未使用の電池１を収納し、交換する。
【００７８】
図７のステップＳ６３では、リセット機構としてのスライド式スイッチ２０を矢印方向（この場合、上方向）にスライドさせて、ＲＥＳＥＴ端子５４と、ＶＳＳ端子５７とを、未接続状態にする。そして、ダイバーズ用情報処理装置１０１のシステムのリセット状態を解除する。
【００７９】
なお、リセット機構としてのスライド式スイッチ２０は、機械式の接点によるスイッチの構造を採用しているため、既存システムと同等の消費電流を実現することができ、電池寿命の低下をも抑制することができる。
【００８０】
以上のような第２実施形態における構造及び電池交換方法によれば、前述の第１実施形態と同様の効果が得られる他に以下の効果が得られる。
（３）腕装置型電子機器としてのダイバーズ用情報処理装置１０１が、電池収納部４１と、リセット機構としてのスライド式スイッチ２０とに分割された構成になっているから、構造を簡略化することができるので、メンテナンスを容易に行うことができる。
（４）リセット機構としてのスライド式スイッチ２０が、スライドする構造なので、スイッチを切り替える（この場合、上下方向にスライドする）だけで、リセットをすることや、リセット解除をすることが簡単にできる。
（第３実施形態）
【００８１】
次に、本発明の第３実施形態について説明する。第３実施形態は、前述の第１実施形態及び第２実施形態おけるリセット機構の構成が異なる。なお、前述の第１実施形態及び第２実施形態と同じ部品、または同様の機能を有する部品については、説明を省略する。また、本実施形態によるダイバーズ用情報処理装置の動作手順については、図４及び図５に記載のフローチャートと同じであるので説明を省略する。また、電池収納部に電池を挿入して、リセットし、リセット解除するまでの手順は、図７に記載のフローチャートと同じであるので説明を省略する。
【００８２】
図８は、本実施形態における腕装置型電子機器としてのダイバーズ用情報処理装置の構成を説明するための説明図である。
【００８３】
図８において、腕装置型電子機器としてのダイバーズ用情報処理装置１０２は、各種情報を制御するＣＰＵ４、表示を行う手段としてのＬＣＤ５と、圧力センサ６と、ＥＥＰＲＯＭ７と、ＦＬＡＳＨ  ＲＯＭ８と、ＲＡＭ９と、入力部１０と、入水検知部１１と、電池収納部４１と、リセット機構としてのオルタネート式スイッチ２１とで概略構成されている。
【００８４】
電池収納部４１は、電池端子（＋側）２と、電池端子（−側）３とを、備えており、ダイバーズ用情報処理装置１０２を駆動するために必要な電池１が電池収納部４１に収納できるように構成されている。
【００８５】
オルタネート式スイッチ２１は、機械式の接点による構造を採用している。オルタネート式スイッチ２１は、一度スイッチを押し込んだときにはロックがされ、再度押し込むとロックが解除される構造になっている。そして、オルタネート式スイッチ２１のロックがされているときは、ダイバーズ用情報処理装置１０２がリセット状態を保持することができる。このロックが解除されるときは、ダイバーズ用情報処理装置１０２がリセット状態を解除することができる。
【００８６】
以上のような第３実施形態における構造及び電池交換方法によれば、前述の第１実施形態及び第２実施形態と同様の効果が得られる他に以下の効果が得られる。
（５）リセット機構としてのオルタネート式スイッチ２１が、プッシュ式の構造なので、スイッチを押すだけで、リセットをすることや、リセット解除をすることが簡単にできる。
【００８７】
以上、好ましい実施の形態を挙げて本発明を説明したが、本発明は上記実施の形態に限定されるものではなく、以下に示すような変形をも含み、本発明の目的を達成できる範囲で、他のいずれの具体的な構造および形状に設定できる。
【００８８】
（変形例）
前述の第１実施形態、第２実施形態及び第３実施形態で、ダイバーズ用情報処理装置１００（１０１、１０２）に本発明を摘要したが、これに限らない。例えばデータを記憶する記憶機能を有した電子機器に摘要できる。このようにすれば、用途を拡大することができるので、いろいろな製品に使用することができる。
【図面の簡単な説明】
【００８９】
【図１】第１実施形態における腕装置型電子機器としてのダイバーズ用情報処理装置の構成を説明するための説明図。
【図２】電池収納部の構成を説明するための説明図であり、図（ａ）は、電池を挿入するときの概略断面図であり、図（ｂ）は、リセット状態を示す概略断面図であり、図（ｃ）は、リセット解除状態を示す概略断面図。
【図３】電池収納部に電池を挿入して、リセットし、リセット解除するまでの手順を説明するためのフローチャート。
【図４】ダイバーズ用情報処理装置の動作手順を説明するためのフローチャート。
【図５】ダイバーズ用情報処理装置の動作手順を説明するためのフローチャート。
【図６】第２実施形態における腕装置型電子機器としてのダイバーズ用情報処理装置の構成を説明するための説明図。
【図７】電池収納部に電池を挿入して、リセットし、リセット解除するまでの手順を説明するためのフローチャート。
【図８】第３実施形態における腕装置型電子機器としてのダイバーズ用情報処理装置の構成を説明するための説明図。
【符号の説明】
【００９０】
１…電池、２０…リセット機構としてのスライド式スイッチ、２１…リセット機構としてのオルタネート式スイッチ、４０…電池収納部、４１…電池収納部、５０…リセット機構としてのリセット端子、５８…第１の爪部、５９…第２の爪部、１００…腕装置型電子機器としてのダイバーズ用情報処理装置、１０１…腕装置型電子機器としてのダイバーズ用情報処理装置、１０２…腕装置型電子機器としてのダイバーズ用情報処理装置、Ｐ１…第１位置、Ｐ２…第２位置。
【図１】
2008097946.tif 000003
【図２】
2008097946.tif 000004
【図３】
2008097946.tif 000005
【図４】
2008097946.tif 000006
【図５】
2008097946.tif 000007
【図６】
2008097946.tif 000008
【図７】
2008097946.tif 000009
【図８】
2008097946.tif 000010